(57)【要約】【課題】ひざや腰に故障を持つ男女にも苦痛なく性交渉の姿勢を維持でき、かつ、目的に憚られることなく、一般家庭に広く普及し得る多目的椅子を提供する。【解決手段】普段はお茶の間で、腰掛けやマッサージ器として役立つ椅子となり、かつ、性交渉の際に男女間の妨げとならない形状の着座体を有し、仰向けになった男性の腰部の上方の空間に着座体を位置させて、女性がひざを無理な屈曲をすることなく着座できる椅子であるとともに、その高さを手動や電動により調節可能で、男女ともに負担をかけることなく、長時間の姿勢維持を可能とする。【選択図】図１
2017196357.tif 000002
【特許請求の範囲】
【請求項１】
以下の要件を備えることを特徴とする多目的椅子。
(イ)女性が着座する着座面の位置を、仰向けに横たわった男性の腰部の上方１０ｃｍ程度の空間を隔てた高さに設定できること
(ロ)着座体の形状は、前記女性が着座した際に、前記女性の坐骨周辺と前記横たわった男性の腰部とを上下に結ぶ区域内の空間に前記着座体の一部が入り込まぬよう、前記着座体の前端中央部は後方へ深く湾曲した形状であり、前記女性が着座する際に前記女性の坐骨の下端の突起付近の臀部は、前記着座体本体より下方に位置するように着座可能であること
(ハ)前記女性が着座する際に前記女性の身体と接触する前記着座面は、前記女性と接触する部位の臀部および大腿部の表面と平行になるよう配置され、前記女性の坐骨の後方から、前記女性の坐骨を迂回する形で前記女性の大腿部の付け根付近までＵ字型に延長されていること
(ニ)前記横たわった男性がひざを曲げた際に干渉しないよう、前記着座体の後方は前方より高くなるように傾斜があること
【請求項２】
以下の要件を備えることを特徴とする請求項１に記載の多目的椅子。
(イ)前記着座体を支えるため、少なくとも左右に一対の脚体があること
(ロ)前記脚体は、前記横たわった男性がひざを横に開いても干渉しないよう、前記脚体同士の左右の間隔は後方側が前方側より広くなるように配置されていること
【請求項３】
以下の要件を備えることを特徴とする請求項１に記載の多目的椅子。
(イ)前記着座体を支えるため、前記着座体の後部中央から少なくとも一本の脚体を下方に向けて設置し、前記脚体の下側には、左右両方向に伸びた、左右両方向に倒れないための支えとなる支持台を有し、前記支持台の左右両端は、さらに前方に伸ばし、前方に倒れないための支えとなる形状をもつこと
(ロ)前記脚体は前記横たわった男性の腰部と干渉しないよう、前記着座体よりも充分に後方に設置されていること
(ハ)前記支持台は、前記横たわった男性の腰部や臀部と干渉しないよう、前記横たわった男性の臀部をＵ字型に迂回する形状であること
【請求項４】
請求項２または請求項３に記載の多目的椅子の脚体には、着座体の高低、または傾斜、あるいはその両方を手動によって変化させるための回動軸、長孔、係止軸、および複数の係止段が設けられ、前記係止軸を前記係止段に合わせることにより、前記着座体の高低、または傾斜、あるいはその両方を変化させられること
【請求項５】
以下の要件を備えることを特徴とする請求項３に記載の多目的椅子。
(イ)前記脚体は少なくとも1つのスライドする脚体と、少なくとも1つの固定された脚体から構成されること
(ロ) 前記スライドする脚体の下端部分には動滑車が設置され、前記スライドする脚体および前記動滑車の上下する動作は、前記動滑車にかけられたワイヤーロープの張力により操作されること
(ハ)前記固定された脚体の上端部分にはウインチ、および係留部材があり、前記ワイヤーロープの一端は前記ウインチの外周に、もう一端は前記係留部材に固定されていること
(ニ)前記ウインチは前記ウインチと連動して回転するウォームホイールによって駆動されること
(ホ)前記ウォームホイールは、別の回転軸を持つ円筒ウォームギヤの回転により駆動されること
(へ)前記円筒ウォームギヤの進み角は、前記着座体に荷重がかかった際に生じる前記ウォームホイールから前記円筒ウォームギヤへの回転の伝達を、セルフロックによって阻止できる程度に充分に小さくすること
【請求項６】
請求項５に記載の多目的椅子の、前記円筒ウォームギヤへの駆動力の伝達は、遊星歯車を介して手動で行われること
【請求項７】
請求項５に記載の多目的椅子の、前記円筒ウォームギヤへの駆動力の伝達は、モーターにより電動で行われること
【請求項８】
以下の要件を備えることを特徴とする請求項３に記載の多目的椅子。
(イ)前記脚体は少なくとも1つのスライドする脚体と、少なくとも1つの固定された脚体から構成されること
(ロ) 前記スライドする脚体と前記固定された脚体の間にはモーター、ソレノイド等を用いたアクチュエータを設置し、電動によって前記スライドする脚体を駆動し、前記着座体の高さを変化させられること
【発明の詳細な説明】
【技術分野】
【０００１】
本発明は、性交渉を含めた多目的に使用できる椅子の構造に関するものである。
【背景技術】
【０００２】
人間が直立歩行に適した身体に進化した際、人間の脚部は他の動物と比べ例外的ともいえる長さとなり、生命の基本である性行動については不便な姿勢を強いられることになった。特にひざ関節等に故障をもつ人にとって、例え一方のひざだけの故障であったとしても、一般的と考えられる姿勢を維持することが難しくなる。このことは当事者となった本人にしか分からず、パートナーがその点に気付かないこともあり得る。現在の日本では、少子化への懸念が深刻になっているが、その理由として晩婚化が進み、積極的に子どもを得ようという人が少なくなっただけでなく、より具体的には、ひざ関節等への負担が原因となって心理的なすれ違いが生じたり、性行動自体が敬遠される例も少なくないと考える。性交渉の姿勢を補助しうる発明はこれまでにもあったが、性に関するあからさまな製品を世に出すことが敬遠されたか、あるいは装置自体が大掛かり過ぎた、などの要因から、一般に普及するに足るものはなかった。
【先行技術文献】
【特許文献】
【０００３】
【特許文献１】US2008/0001463A1  MULTI-FUNCTIONAL COLLAPSIBLE CHAIR
【特許文献２】US2004/0065331 A1  PLATFORM CHAIR FOR SEXUAL INTERCOURSE
【特許文献３】US005875779A  ARCUATELY RECIPLOCATING HUMAN SEXUAL FITTNESS MACHINE
【特許文献４】米抄5453080  「性交補助の治療器具」
【特許文献５】特開平10‐242836  「揺動椅子装置」
【特許文献６】特開2004‐97764  「バネを支柱にした女性の臀部を載せる台」
【特許文献７】実用新案登録第3095262号  「脚部の位置決めを補助するベッド下敷き構造」
【特許文献８】実用新案登録第3097167号  「レッグ位置決め作用を強化可能な毛布構造」
【非特許文献】
【０００４】
【非特許文献１】https://ja.wikipedia.org/wiki/性行為
【非特許文献２】https://ja.wikipedia.org/wiki/遊星歯車機構
【発明の概要】
【発明が解決しようとする課題】
【０００５】
人間が直立歩行に適した身体に進化した際、人間の脚部は他の動物と比較して例外的ともいえる長さとなった。その結果人間は、腰や足首、ひざ関節などの故障を起こしやすくなったとともに、生命の基本である性行動については不便な姿勢を強いられることになった。特にひざ関節等に故障をもつ人は多く、例え一方のひざだけの故障であったとしても、一般的と考えられる姿勢を維持することは難しくなる。このことは当事者となった本人にしか分からないため、パートナーがその点に気付かず、心理的な隔たりが生じる原因にもなり得る。その姿勢を補助しようという器具はこれまでにも発明されたが、大掛かりであったり、子どもや来客に説明のつかない形状であるなど、家庭に置くには不都合のあるものであった。
【０００６】
本発明の目的は、性交渉の際の姿勢を苦痛なく維持できる機能を、できるだけ簡単で安価な形で提供するとともに、願わくは、お茶の間で通常の椅子として使用可能な、一般家庭に広く普及することが可能な椅子を提供するものである。
【課題を解決するための手段】
【０００７】
上記の課題を解決するために、第一発明による多目的椅子は、以下の要件を備えることを特徴とする。
(イ)女性が着座する着座面の位置を、仰向けに横たわった男性の腰部の上方１０ｃｍ程度の空間を隔てた高さに設定できること
(ロ)着座体の形状は、前記女性が着座した際に、前記女性の坐骨周辺と前記横たわった男性の腰部とを上下に結ぶ区域内の空間に前記着座体の一部が入り込まぬよう、前記着座体の前端中央部は後方へ深く湾曲した形状であり、前記女性が着座する際に前記女性の坐骨の下端の突起付近の臀部は、前記着座体本体より下方に位置するように着座可能であること
(ハ)前記女性が着座する際に前記女性の身体と接触する前記着座面は、前記女性と接触する部位の臀部および大腿部の表面と平行になるよう配置され、前記女性の坐骨の後方から、前記女性の坐骨を迂回する形で前記女性の大腿部の付け根付近までＵ字型に延長されていること
(ニ)前記横たわった男性がひざを曲げた際に干渉しないよう、前記着座体の後方は前方より高くなるように傾斜があること
【０００８】
第二発明による多目的椅子は、第一発明に加えて以下の要件を備えることを特徴とする。
(イ)前記着座体を支えるため、少なくとも左右に一対の脚体があること
(ロ)前記脚体は、前記横たわった男性がひざを横に開いても干渉しないよう、前記脚体同士の左右の間隔は後方側が前方側より広くなるように配置されていること
【０００９】
第三発明による多目的椅子は、第一発明に加えて以下の要件を備えることを特徴とする。
(イ)前記着座体を支えるため、前記着座体の後部中央から少なくとも一本の脚体を下方に向けて設置し、前記脚体の下側には、左右両方向に伸びた、左右両方向に倒れないための支えとなる支持台を有し、前記支持台の左右両端は、さらに前方に伸ばし、前方に倒れないための支えとなる形状をもつこと
(ロ)前記脚体は前記横たわった男性の腰部と干渉しないよう、前記着座体よりも充分に後方に設置されていること
(ハ)前記支持台は、前記横たわった男性の腰部や臀部と干渉しないよう、前記横たわった男性の臀部をＵ字型に迂回する形状であること
【００１０】
第四発明による多目的椅子は、第二発明または第三発明による多目的椅子の脚体に対し、着座体の高低、または傾斜、あるいはその両方を手動によって変化させるための回動軸、長孔、係止軸、および複数の係止段を設け、前記係止軸を前記係止段に合わせることにより、前記着座体の高低、または傾斜、あるいはその両方を変化させられることを特徴とする。
【００１１】
第五発明による多目的椅子は、第三発明に加えて以下の要件を備えることを特徴とする。
(イ)前記脚体は少なくとも1つのスライドする脚体と、少なくとも1つの固定された脚体から構成されること
(ロ) 前記スライドする脚体の下端部分には動滑車が設置され、前記スライドする脚体および前記動滑車の上下する動作は、前記動滑車にかけられたワイヤーロープの張力により操作されること
(ハ)前記固定された脚体の上端部分にはウインチ、および係留部材があり、前記ワイヤーロープの一端は前記ウインチの外周に、もう一端は前期係留部材に固定されていること
(ニ)前記ウインチは前記ウインチと連動して回転するウォームホイールによって駆動されること
(ホ)前記ウォームホイールは、別の回転軸を持つ円筒ウォームギヤの回転により駆動されること
(へ)前記円筒ウォームギヤの進み角は、着座体に荷重がかかった際に生じる前記ウォームホイールから前記円筒ウォームギヤへの回転の伝達を、セルフロックによって阻止できる程度に充分に小さくすること
【００１２】
第六発明による多目的椅子は、第五発明の多目的椅子の、円筒ウォームギヤへの駆動力の伝達を、遊星歯車を介して手動で行われることを特徴とする。
【００１３】
第七発明による多目的椅子は、第五発明の多目的椅子の、円筒ウォームギヤへの駆動力の伝達を、モーターによって電動で行うことを特徴とする。
【００１４】
第八発明の多目的椅子は、第三発明に加え、以下の要件を備えることを特徴とする。
(イ)前記脚体は少なくとも1つのスライドする脚体と、少なくとも1つの固定された脚体から構成されること
(ロ) 前記スライドする脚体と前記固定された脚体の間にはモーターまたはソレノイド等を用いたアクチュエータを設け、電動によって前記スライドする脚体を駆動し、着座体の高さを変化させられること
【図面の簡単な説明】
【００１５】
【図１】(ａ)は実施例１、(ｂ)は実施例２の椅子の概観を示す斜視図
【図２】(ａ)は実施例１、(ｂ)は実施例２の着座体の形状を示す上面図
【図３】実施例１の着座体に傾斜をつけた際の(ａ)正面図、(ｂ)側面図
【図４】実施例１の着座体の傾斜をなくした際の(ａ)斜視図、(ｂ)側面図
【図５】実施例１の各部品の構成を示す展開斜視図
【図６】実施例２の着座体に傾斜をつけ、高さを最小にした際の(ａ)正面図、(ｂ)側面図
【図７】実施例２の着座体の傾斜をなくし、高さを最大にした際の(ａ)正面図、(ｂ)側面図
【図８】実施例２に着座体カバーをつけ、高さを中程度にした際の(ａ)斜視図、(ｂ)側面図
【図９】実施例２の各部品の構成を示す展開斜視図
【図１０】実施例２の内部構造を示すため、図２（ｂ）および図６（ａ）、図７（ａ）の点線Ｄに沿ってカットした側面図
【図１１】実施例２の高さ調整ダイヤルの構造を示す展開斜視図
【図１２】実施例２の(ａ)ウインチ周辺の構造を、(ｂ)着座体周辺の構造を示す展開斜視図
【図１３】(ａ)は実施例１の、(ｂ)は実施例２の、通常の椅子としての使用例を示す側面図
【図１４】実施例１の使用例および男女間の位置関係を示す側面図
【図１５】実施例２の使用例および男女間の位置関係を示す側面図
【図１６】実施例３のマッサージ器としての使用例を示す側面図
【発明を実施するための形態】
【００１６】
人間の性交渉の際、最も一般的とされる姿勢は、もともと男性の側にとって、ひざや腰への負担が少ないであろう姿勢が選ばれている。この姿勢に着目し、特に女性側について、ひざや腰への負担が少なくなる方法を考察し、仰向けに横たわった男性の大腿部上方かつ、女性の臀部後方となる空間に、次のような着座体を置くこととした。
(イ)女性が着座する着座面の位置を、仰向けに横たわった男性の腰部の上方１０ｃｍ程度の空間を隔てた高さに設定すること
(ロ)女性が着座する際、女性はひざを伸ばした状態でも曲げた状態でも着座できること
(ハ)着座体の形状は、女性が着座した際に、女性の坐骨周辺と横たわった男性の腰部とを上下に結ぶ区域内の空間に着座体の一部が入り込まぬよう、着座体の前端中央部は後方へ深く湾曲した形状であり、女性が着座する際に女性の坐骨の下端の突起付近の臀部は、着座体本体より下方に位置するように着座可能な形状であること
(ニ)女性が着座する際に女性の身体と接触する真の着座面は、前記女性と接触する部位の臀部および大腿部の表面と平行になるよう配置されており、さらに、坐骨の後方から坐骨を迂回する形で女性の大腿部の付け根付近の範囲までＵ字型に延長され、女性の着座時の負担を和らげられること
(ホ)着座体は横たわった男性がひざを曲げた際にも干渉しないよう、着座体の後方が前方より高くなるように傾斜があること
(ヘ)着座体を、着座体の左右に設置した複数の脚体で支える場合、横たわった男性がひざを横に開いても干渉しないよう、脚体同士の左右の間隔は後方側が前方側より広くなるように配置されていること
(ト)着座体を、着座体中央の後方に設置した脚体で支える場合、横たわった男性の腰部と干渉しないよう、充分後方にあること
【００１７】
上記のような特徴をもつ多目的椅子であり、合わせて、着座体の傾斜や高さを手動または電動で調整することにより、通常の椅子や腰痛などの家庭用簡易マッサージ器としても使用できることを特徴とする。
【実施例】
【００１８】
本発明の最も重要な特徴は着座体の形状にあり、女性が坐骨部分を仮の座面Ｃより下に降ろし、臀部の後方部分から大腿部の付け根付近までを使って体重を支えるところにある。その様な形状が必要なのは、女性が仮の座面Ｃの上に坐骨付近の臀部を載せて着座したときのように、男女の間に着座体という障害物が入り込むのを避けるためである。そのため、真の着座面Ａ’は後方に湾曲した形状が必要になり、可能であれば、着座面の両端Ｂは大腿部の付け根まで前方に向けて伸びていることが望ましい。ただし、着座面の両端Ｂを前方に伸ばし過ぎると、便座のような形状になってしまい、使用感は保証できるが、椅子として好ましい形ではなくなるため、使用感と美観とのバランスを考慮した上でデザインする必要がある。
【００１９】
上記のような着座体を形成するには様々な方法があるが、あえて図２(ａ)、(ｂ)のように、板状の場合とパイプ状の場合の２種類を提示してみた。この他にも、実施例の中でも述べているように仮の座面Ｃの前端部分を下に曲げたり、パイプの断面が円形ではなく臀部の形状に沿った平たい形状のものを使用するなど、本発明の要旨の範囲内で種々に改変できる。
【００２０】
（実施例１）
実施例１に関する図面は、厚さ１８ｍｍ程度の集成材(木材)を型紙等に沿って切り取った後に積層し、貼り合わせた後に不要となった部分を削り取ることを想定して作図したが、材料として厚さ９ｍｍ程度の合板や、厚さ７ｍｍ程度のアクリル板やポリカーボネート板等を折り曲げて制作したり、幼児向けの玩具のように、金型による中空のポリエチレン製など、成人女性の体重を支えられる程度に丈夫であれば他の素材や製法でもよい。
なお、着座体１１の真の着座面Ａ’は、湾曲部Ａと仮の座面Ｃの出合う部分を女性の臀部の形状に沿う形で面取りしたものであり、薄い素材の場合は面取り部分の面積が小さくなるため、仮の座面Ｃの前端部分を下に折り曲げるなどの加工が必要である。
【００２１】
図１（ａ）は着座体１１を傾斜させた状態で、図４（ａ）は着座体を水平にして小型椅子とした状態であり、図１３（ａ）には、身長１６０ｃｍ程度の女性が腰を下ろした状態を示している。  この椅子は、図２（ａ）から推測できるように、複数の椅子を重ねて保管することが可能である。
【００２２】
図５を用いてこの小型椅子の制作方法を示す。着座体１１と脚体１２は回動軸ｅで、着座体１１と傾斜調整ハンドル１３はハンドル連結軸ｆで、それぞれ金属製のボルト等を用いて回動可能なようにつなぎ合わせる。次いで、ハンドル係止軸gを長孔ｈの範囲内で移動可能なように、金属製のボルト等を通して連結する。傾斜調整ハンドル１３は一体成型または１３a、１３bの二つの部品の接着によって形成する。
【００２３】
傾斜調整ハンドル１３の下部を手前に引きながら上に持ち上げると、ハンドル係止軸ｇが長孔ｈ内を移動し、さらにハンドル１３を後方に押し込むと係止軸ｇが上端係止段ｈ１にはまり、着座体は水平に固定される。逆に、ハンドル１３の下部を手前に引きながらハンドルを下に降ろすとハンドル係止軸ｇが下端係止段ｈ２に突き当たり、それ以上は降りなくなる。
【００２４】
図５では上端と下端にのみ係止段を設けたが、これを多段階とした上で、傾斜調整ハンドルをバネなどを用いて後方に引き、係止段に強制的にロックされるようにすることも、使い勝手や安全性の面からも望ましい。
【００２５】
なお、このような傾斜調整ハンドルを、脚体の前部だけでなく、後部にも取り付けることにより、着座体の傾きと高さの両方を調節できるようになる（図示は省略）。
図１４は、イギリスのDurex（デュレックス）社の調査により世界で最も多いことが分かった姿勢における使用例を示し、着座体の湾曲部Ａの部分に、女性Ｗが臀部の坐骨付近を下ろした状態を示している。このようにすることで男女間に障害物が介在することがなくなる。女性は脚を伸ばし（前方に投げ出し）て座ることも、ひざを曲げて座ることも可能である。着座体が板状であるため、女性は坐骨付近を仮の座面Ｃの上に置いて着座することもできる。
【００２６】
（実施例２）
実施例１における真の着座面Ａ’の部分を、屈曲させたパイプに置き換え、複数あった脚体を一つにまとめ、着座体の後方中央から脚体として下方に向けて設置したものである。着座体は鉄パイプ、アルミパイプ、ポリエチレンパイプなど、女性の体重を支えられる材料であればよく、パイプの断面の形状は、円形よりも辺の長さ１：４程度の平角パイプ等の方が好ましく、折り曲げる際には真の着座面Ａ’の部分の面積が最大になるよう、女性の臀部の形状に沿う形で傾斜をつけ、最前部のＢの付近が前方から見て「ハ」の字を上下逆にした形状になるように折り曲げる。周囲にはウエットスーツに使われるスポンジ状のクロロプレンゴムなどで厚く覆い、着座した際の接触面積が大きくなるように仕上げる。なお、この際の着座体はパイプではなく実施例１のように板状のものをベースにしても良い。
【００２７】
この実施例では着座体後方に傾斜角調整機構、脚体に動滑車とステンレスワイヤーロープを用いた伸縮機構を設けた。ここで傾斜角調整機構については、着座体本体と回転軸（回動軸）との間に距離があり、傾斜角の変化に連れて高さも変化するため、こちらも高さの調節を目的とすることができる。
また、この伸縮機構では、約１０ｃｍの高さの調整ができ、円筒ウォームギヤとウォームホイールとの間に動力の伝達の向きが不可逆となるセルフロックと呼ばれる現象が起こることにより、人が着座した状態のまま自由な高さに調整することが可能である。
【００２８】
伸縮機構の例として、ウォームホイールの歯数を１６枚、ウインチの直径を２ｃｍ程度と設定し、ワイヤーを２０ｃｍ分だけ巻き上げるのに必要な円筒ウォームギヤの回転回数を計算してみる。ただし、円筒ウォームギヤの条数（ネジ山の本数）を１条（１本）とする。
ウインチが一回転、つまり１６枚の歯を持つウォームホイールが1回転するには、ウォームギヤ側は１６回転しなくてはならない。ウインチの円周は約６.３ｃｍ〔≒２×３．１４×１〕なので、２０ｃｍを巻き上げるにはウインチを約３.２回転〔２０÷６．３≒３．２〕、つまり、ウォームギヤ側を５０回転以上〔３．２×１６≒５１．２〕回転させなくてはならない。
その回転の動作を低減させるため、手動で入力した回転数を倍速できるよう、例えば歯数８の太陽歯車、歯数３２の内歯車をもつ遊星歯車（プラネタリーギヤ）をダイヤルとして用いて５倍速〔（８＋３２）÷８＝５倍〕とし、ダイヤル１０回転程度で１０ｃｍの高低差を移動できる機構とした。
【００２９】
はじめに図１１を用いて高さ調整ダイヤルの作り方を示す。まず、内側遊星キャリヤ２７４の中心軸ｒにシャフト２７５を差込み、太陽歯車２７３を固定軸ｒ1にピンなどを差し込んで回転止めとする。遊星キャリヤ２７４の６本ある遊星軸ｙに、一本おきの３本の軸（例えばｙ１、ｙ３、ｙ５）に遊星歯車２７２を挿し込んで、外側の遊星キャリヤ（ダイヤル）２７１をすべての軸ｙが一致するようにはめ込む。この組み合わせを高さ調整ダイヤル２７ａとする。なお、内歯車２７６は外側脚体２６の外側にある３つの軸ｗが一致するようにはめ込んで固定（接着）する。
【００３０】
次に、図１２(ａ)を用いてウインチの作り方を示す。シャフト２５３にウォームホイール２５２を差し込んで回転止めｕ１をネジなどで固定し、ウインチ２５１も同様に差し込んで、ワイヤーロープ２５４を固定軸ｕ２周辺に回しこみながら固定片２５１ａではさみ、固定軸ｕ２はネジで固定する。このシャフト２５３は内部脚体２５の軸ｕの位置に差し込んで回転可能なように固定する。ワイヤーロープ２５４のもう一方の先端は圧着金具等を用いて輪を作り、ワイヤーロープ係留部材２５５を輪の中に通して位置がずれないように固定し、ワイヤーロープ係留部材２５５は内部脚体２５の軸ｓの位置に固定する。
【００３１】
次に、図９を用いて脚体の作り方を示す。スライド脚体２４の中に、内部脚体２５を差し込み、内部脚体２５の動滑車移動窓ｔの、ｔ１からｔ２の範囲内にスライド脚体２４の軸ｐを合わせ、シャフト２４２を通して、動滑車２４１を回転可能なように設置する。
次に、スライド脚体２４の外側に外側脚体２６をかぶせ、軸ｒがダイヤル移動窓ｏの、ｏ１からｏ２の範囲の位置で内歯車２７６の側からダイヤル２７ａのシャフト２７５を差し込み、円筒ウォームギヤ２７７を、軸ｒ２にピンなどを用いて回転止めとし、ダイヤル全体が軸ｒを中心に回転ができるように設置する。
このとき、外側遊星キャリア２７１の内側フランジ２７１ａが、強く押すことによって内歯車２７６のダイヤル係止溝２７６ａにはまるような構造になっていることが望ましい。
【００３２】
次に同じく図９で、脚体支持台の取り付け溝２８ａ、２８ｂに外側脚体２７と内側脚体２５をそれぞれ固定する。このときバネフック２８ｃにはバネを掛けておく。スライド脚体２４の上部からバネ２３１の上端を取り出して、頭部２３の下部のバネフック２３ａに掛け、頭部２３は脚体２４と軸ｎが一致するように固定する。頭部２３の中央の溝に軸ｊが一致するように顎部２２を差し込み、顎部２２が回動可能なようにネジを用いて取り付ける。軸ｋには係止シャフト２３２ａを差し込んで２３２ｂをはめ込み、係止点ｍ１からｍ２の範囲で軸ｊを中心に傾きを調整できるようにする。  最後に顎部２２に軸ｉが一致するように着座体２１を取り付けて完成である。
【００３３】
図１３（ｂ）には、着座体の傾斜をなくした上で着座体カバー２９を被せ、高さを最大にしてスツールとし、伸長１６０ｃｍ程度の女性が腰掛けている例を挙げた。
図１５は、実施例１と同様、イギリスのDurex（デュレックス）社の調査により世界で最も多いことが分かった姿勢における使用例を示し、着座体の湾曲部Ａの部分に、女性Ｗが臀部の坐骨付近を下ろした状態を示している。このようにすることで男女間に障害物が介在することがなくなる。女性は脚を伸ばし（前方に投げ出し）て座ることも、ひざを曲げて座ることも可能である。高さ調整ダイヤル２７は男性Ｍが右手を伸ばしたところにあり、女性Ｗが着座した状態でも着座体の高さを変えることができる。
【００３４】
（実施例３）
実施例２の高さ調整ダイヤルは手動式だが、代わりにモータを取り付けることで、電動式にすることも可能である。なお、高さ調整を電動とする方法は他にもソレノイドや油圧ポンプなどを用いたり、骨格としてパンタグラフや空気バネ、油圧シリンダー等を組み合わせた各種のアクチュエータを用いる方法もあり、内部に設けるアクチュエータについては、スライド脚体と固定脚体との間の長さを変更するという本発明の要旨の範囲内で種々に改変できる。
【００３５】
図１６は、実施例２の固定脚体とスライド脚体の長さをそれぞれ約１０ｃｍ伸ばし、到達する最高の高さを１５ｃｍ引き伸ばしたものである。高さ調整ダイヤルの代わりにモーターを設置してコントロールボックス３１の中に収納している。これは、家庭用の簡易マッサージ器として用途を広げるための変形例で、速度の調節スイッチ３１１と振動や往復運動などをさせるためのモードの切り替えスイッチ３１２を備え、内蔵されたマイクロコンピュータと連携して各種動作を選択できる。
【符号の説明】
【００３６】
Ａ    湾曲部
Ａ’    真の着座面
Ｂ    真の着座面の両端
Ｃ    仮の座面
Ｄ    図１０の切断面を示す位置
Ｍ    男性
Ｗ    女性
（実施例１）
１       小型椅子
１１      着座体
１２      脚体
１３      傾斜調整ハンドル
ｅ      回動軸
ｆ      ハンドル連結軸
ｇ      ハンドル係止軸
ｈ      長孔
ｈ１      係止段（上端）
ｈ２      係止段（下端）
【００３７】
２      伸縮椅子
２１      着座体
２２     顎部（内側の係止部材）
２３     頭部（外側の係止部材）
２３ａ    バネフック
２３１    バネ
２３２    顎部係止シャフト
２４     スライド脚体・動滑車支持体
２４１    動滑車
２４２    シャフト
２５      内側脚体・ウインチ支持体
２５１     ウインチ
２５１ａ    ワイヤーロープ固定片
２５２    ウォームホイール
２５３    ウインチシャフト
２５４    ワイヤーロープ（ステンレス製径２ｍｍ以上）
２５５    ワイヤーロープ係留部材
２６    外側脚体・高さ調整ダイヤル支持体
２７      高さ調整ダイヤル
２７ａ    ダイヤル
２７１    外側遊星キャリヤ(ダイヤル)
２７１ａ   ダイヤル係止フランジ
２７２    遊星歯車
２７３    太陽歯車
２７４    内側遊星キャリヤ
２７５    ダイヤルシャフト
２７６    内歯車・ダイヤル支持体
２７６ａ  ダイヤル係止溝
２７７    円筒ウォームギヤ
２８    脚体支持台
２８ａ  外側脚体固定溝
２８ｂ  内側脚体固定溝
２８ｃ  バネフック
２９    着座体カバー
ｉ     着座体固定軸
ｊ    顎部回動軸
ｋ    傾斜係止軸
ｍ１   上端係止段
ｍ２  下端係止段
ｎ     頭部固定軸
ｏ      動滑車移動窓
ｏ１    上端
ｏ２   下端
ｐ     動滑車回転軸
ｒ     ダイヤル回転軸
ｒ１     太陽歯車回転止め
ｒ２    円筒ウォーム回転止め
ｓ    ワイヤーロープ係留軸
ｔ      ダイヤル移動窓
ｔ１    上端
ｔ２    下端
ｕ    ウインチ・ウォームホイール回転軸
ｕ１    ウォームホイール回転止め
ｕ２    ウインチ回転止め・ワイヤロープ固定軸
ｗ    高さ調整ダイヤル固定点
ｙ１〜ｙ６  遊星キャリア連結軸
ｙ１、ｙ３、ｙ５は遊星ギヤ回転軸
【００３８】
（実施例３）
３     自動伸縮椅子
３１    モーターおよびコントロールボックス
３１１   電源および速度調節スイッチ
３１２  モード切替スイッチ
【図１】
2017196357.tif 000003
【図２】
2017196357.tif 000004
【図３】
2017196357.tif 000005
【図４】
2017196357.tif 000006
【図５】
2017196357.tif 000007
【図６】
2017196357.tif 000008
【図７】
2017196357.tif 000009
【図８】
2017196357.tif 000010
【図９】
2017196357.tif 000011
【図１０】
2017196357.tif 000012
【図１１】
2017196357.tif 000013
【図１２】
2017196357.tif 000014
【図１３】
2017196357.tif 000015
【図１４】
2017196357.tif 000016
【図１５】
2017196357.tif 000017
【図１６】
2017196357.tif 000018